(57)【要約】【課題】有害獣侵入防止柵の構造を簡単にし威圧感構造を備えさせ、その柵設置を容易にし、強度の大きな柵にする。【解決手段】有害獣侵入防止柵設置用支柱１を、棒状の支柱本体２と、その支柱本体の上端部から本体と直角の一方向又は相対する反対方向に所定の長さ突出し、その先端部に柵１０の上面部を形成する上面用網７又は柵の全面部を形成する全面用網の上縁部を係止する網掛用上フック部４を設けた弾力性を有する棒状の腕３と、その支柱本体２の中央部から腕３と対応させて、腕と同一の一方向又は相対する反対方向に腕の突出長さと比べて短く突出し、上面用網７の下縁部又は全面用網の中央部、或いは上面用網７の下縁部と柵１０の下面部を形成する下面用網の上縁部とを係止する網掛用中央フック５とから構成する。【選択図】  図１
2008301785.tif 000002
【特許請求の範囲】
【請求項１】
棒状の支柱本体と、その支柱本体の上端部から本体と直角の一方向又は相対する反対方向に所定の長さ突出し、その先端部に柵の上面部を形成する上面用網又は柵の全面部を形成する全面用網の上縁部を係止する網掛用上フック部を設けた弾力性を有する棒状の腕と、その支柱本体の中央部から腕と対応させて、腕と同一の一方向又は相対する反対方向に腕の突出長さと比べて短く突出し、上面用網の下縁部又は全面用網の中央部、或いは上面用網の下縁部と柵の下面部を形成する下面用網の上縁部とを係止する網掛用中央フックとからなることを特徴とする有害獣侵入防止柵設置用支柱。
【請求項２】
網掛用上フック部をＵ字状に屈曲させたＵ字状屈曲部にし、網掛用中央フックとして、逆Ｕ字状に屈曲させた逆Ｕ字状屈曲体、又は逆Ｕ字状に屈曲させた逆Ｕ字状屈曲部とＵ字状に屈曲させたＵ字状屈曲部とを有する屈曲体を用いることを特徴とする請求項１記載の有害獣侵入防止柵設置用支柱。
【請求項３】
地面に所定距離離して立設した隣接する２本の支柱の同一方向に向けた各腕の網掛用上フック部と、その２支柱の同一方向に向けた各網掛用中央フックとに上面用網又は全面用網を掛け渡し、或いは各網掛用中央フックに上面用網と一緒に下面用網を掛け渡し、その柵の上面部形成網を２支柱の本体上部と腕に対し、直角三角形状に配置して取り付け、その網面を上方に行く程、２支柱の本体上部から水平方向に長く突出するように傾斜させて設置することを特徴とする請求項１又は２記載の支柱を用いた有害獣侵入防止柵。
【請求項４】
上面用網、全面用網、下面用網として金属網又は非金属製の防獣ネットを用いることを特徴とする請求項３記載の有害獣侵入防止柵。
【請求項５】
少なくとも柵の下面部形成網として獣に破られない強度を有する網を用い、その下面部形成網の下端部を地中に所定長さ埋設することを特徴とする請求項４記載の有害獣侵入防止柵。
【発明の詳細な説明】
【技術分野】
【０００１】
本発明は、山野等に生息する狸、猪、鹿、熊等の食害防止に使用する有害獣侵入防止柵設置用支柱並びに有害獣侵入防止柵に関する。
【背景技術】
【０００２】
近年、農山村の高齢化、過疎化が進んで里山が荒廃し、耕作放棄地が増えると共に、人里に狸、猪、鹿、熊等の獣類が以前より多く現れるようになって、農作物を食い荒らすようになってきた。又、温暖化に伴う降雪量の減少により鹿の頭数が増え、植林したての幼樹ばかりでなく成樹に対する食害も深刻な問題になってきている。
【０００３】
このような有害獣の食害から農作物や樹木を保護するため、従来より侵入防止用に石垣、柵等が設置されて使用されてきた。例えば金属管等のパイプ状支柱の下部を地面に打ち込んで、所定の間隔を保つように並べて立設し、それ等の各支柱の最上部にＳ字状フックを係止する等して、防獣ネットを固定し、有害獣侵入防止柵を設置している。又、跳躍力のある鹿に対しては跳び越えを防止するため、金網柵の各支柱上部に、更に柵の鉛直方向から斜め上方に棒状体を突出させて、その各棒状体の先端部と中程の位置にワイヤーを２列横方向に張り、そのワイヤーに光を受けて輝くアルミ箔の短冊を吊るす等して、威圧感を与えることにより、跳び越えを妨げるようにしたものもある。
【特許文献１】特開２０００−９３０６６
【特許文献２】特開２００２−３１５４９６
【発明の開示】
【発明が解決しようとする課題】
【０００４】
しかしながら、鹿の飛び越えを防止するため、上記文献に示すように柵本体の上に更に威圧感構造を備えるのでは、有害獣侵入防止柵の構造が複雑となる。又、その柵設置に必要な時間、労力等の負担も当然大きくなる。しかも、威圧感構造を備えても柵の強度は余り大きくならず問題がある。
【０００５】
本発明は、このような従来の問題点に着目してなされたものであり、有害獣侵入防止柵の構造が簡単で威圧感構造を備え、その柵設置が容易で、強度の大きな柵を設置できる有害獣侵入防止柵設置用支柱並びにその支柱を用いた有害獣侵入防止柵を提供することを目的とする。
【課題を解決するための手段】
【０００６】
上記目的を達成するために、本発明による有害獣侵入防止柵設置用支柱は、棒状の支柱本体と、その支柱本体の上端部から本体と直角の一方向又は相対する反対方向に所定の長さ突出し、その先端部に柵の上面部を形成する上面用網又は柵の全面部を形成する全面用網の上縁部を係止する網掛用上フック部を設けた弾力性を有する棒状の腕と、その支柱本体の中央部から腕と対応させて、腕と同一の一方向又は相対する反対方向に腕の突出長さと比べて短く突出し、上面用網の下縁部又は全面用網の中央部、或いは上面用網の下縁部と柵の下面部を形成する下面用網の上縁部とを係止する網掛用中央フックとから構成する。
【０００７】
そして、網掛用上フック部をＵ字状に屈曲させたＵ字状屈曲部にし、網掛用中央フックとして、逆Ｕ字状に屈曲させた逆Ｕ字状屈曲体、又は逆Ｕ字状に屈曲させた逆Ｕ字状屈曲部とＵ字状に屈曲させたＵ字状屈曲部とを有する屈曲体を用いると好ましくなる。
【０００８】
又、本発明による有害獣侵入防止柵は、上記支柱を用い、地面に所定距離離して立設した隣接する２本の支柱の同一方向に突出する各腕の網掛用上フック部と、その２支柱の同一方向に突出する各網掛用中央フックとに、上面用網又は全面用網を掛け渡し、或いは各網掛用中央フックに上面用網と一緒に下面用網を掛け渡し、その柵の上面部形成網を２支柱の本体上部と腕に対し、直角三角形状に配置して取り付け、その網面を上方に行く程、２支柱の本体上部から水平方向に長く突出するように傾斜させて設置する
【０００９】
又、上記の上面用網、全面用網、下面用網として金属網又は非金属製の防獣ネットを用いるとよい。
【００１０】
又、上記の少なくとも柵の下面部形成網として獣に破られない強度を有する網を用い、その下面部形成網の下端部を地中に所定長さ埋設すると好ましくなる。
【発明の効果】
【００１１】
本発明の有害獣侵入防止柵設置用支柱は、設置時に柵設置箇所の地面に必要な深さの穴を開け、その穴に支柱本体の下端部付近を差し込み、又は上方から打ち込んで支柱本体の下端部付近を突き刺す等して、その支柱本体を鉛直方向に沿わせて固定する。すると、支柱を地面に簡単に立設できる。そして、地面に所定距離離して立設した隣接する２本の各支柱の一方の側又はその相対する反対側にも設けられている２本の腕と２本の網掛用中央フックとを対にして、一方の側又は反対側の同一方向に向ける。すると、一方の側又はその反対側にある２本の各腕の網掛用フック部と２個の各網掛用中央フックとを利用して、２支柱の一方の側又はその反対側に対する網掛けを行えるようになる。それ故、このような支柱を用いると、有害獣侵入防止柵を簡単に組み立てることができる。
【００１２】
そこで、２支柱の各上端部から突出する腕の先端部に設けた網掛用上フック部と、２支柱の各中央部から突出する網掛用中央フックとに対し、各腕の弾力性と使用する網の適切な位置にある網目を利用して、上面用網、全面用網、下面用網を係止して掛け渡すと、柵の両上面部、両全面部、両下面部等を適宜形成できる。それ故、各上面部を形成する上面用網又は全面用網の上面用網に該当する部分の４隅を支持して縦横方向の張力を加え、網面のたるみをなくして、有害獣侵入防止柵を簡単に組み立てて設置でき、その柵構造も簡単になる、
【００１３】
又、このようにして各腕の網掛用上フック部と、各網掛用中央フックとに、上面用網又は全面用網を係止して掛け渡し、縦横方向の張力を加えて、その防止柵の各上面部形成網を、２支柱の本体上部と腕に対し直角三角形状に配置して取り付けると、柵の強度を大きくできる。しかも、上面部形成網を上方に行く程、２支柱の本体上部から水平方向に離れて突出するように傾斜できるので、その網面が上方程せり出す威圧感構造となって、鹿等の跳躍力のある獣の飛び越しを防止できる。
【００１４】
又、上記の網掛用上フック部をＵ字状に屈曲させたＵ字状屈曲部にし、網掛用中央フックとして、逆Ｕ字状に屈曲させた逆Ｕ字状屈曲体、又は逆Ｕ字状に屈曲させた逆Ｕ字状屈曲部とＵ字状に屈曲させたＵ字状屈曲部とを有する屈曲体を用いると、上面用網を取り付ける際に、網掛用上フック部を構成するＵ字状屈曲部と、網掛用中央フックを構成する逆Ｕ字状屈曲体又は網掛用中央フックを構成する屈曲体に備えられている逆Ｕ字状屈曲部に対し、上面用網又は全面用網の上面用網に該当する部分を、その網に設けられている適切な位置にある網目中に、それ等の屈曲部又は屈曲体が先端側から嵌まるように接近させて挿通させ、上面用網又は全面用網の上面用網に該当する部分を係止して簡単に掛け渡すことができる。又、網掛用中央フックを構成する屈曲体に備えられているＵ字状屈曲部に対し、下面用網を同様に係止して掛け渡すことができる。
【００１５】
又、上記の上面用網、全面用網、下面用網として金属網又は非金属製の防獣ネットを用いると、獣の種類、必要度に応じて適切な網を選択できるため好都合となる。
【００１６】
又、上記の少なくとも下面部形成網として獣に破られない強度を有する網を用い、その下面部形成網の下端部を地中に所定長さ埋設すると、穴掘りが得意な狸、猪等の獣が柵の下に穴を掘って侵入しようとしても、地面近くの地中に網が埋設されているため、簡単に網を破って侵入できず、食害を防止できる。
【発明を実施するための最良の形態】
【００１７】
以下、添付の図１〜６を参照して、本発明の実施の最良形態を説明する。
図１は本発明を適用した第１実施形態による有害獣侵入防止柵を多数本のとうもろこしが生育する１畝のとうもろこし列に設置した状態を示す一部箇所の縦断面図、図２はその有害獣侵入防止柵を設置したとうもろこし列の部分側面図、及び図３はその有害獣侵入防止柵設置用支柱の正面図である。この有害獣侵入防止柵設置用支柱１には、支柱本体２として例えば外径３ｃｍ、長さが１８０ｃｍの直線状の金属管を用いる。そして、その支柱本体２の上端部から本体２の軸線と直角の相対する反対方向に腕３（３ａ、３ｂ）を夫々突設する。その際、両腕３を形成するため、例えば径が６ｍｍ、長さが８３ｃｍの直線状の弾力性を有する金属棒を用いる。そして、支柱本体２の上端部に金属棒が嵌まる貫通穴を開け、そこに金属棒を挿通して両側の長さを等しくした後、その金属棒を支柱本体２に溶接等によって固着する。すると、両腕３を支柱本体２に強固に固着して夫々突設できる。なお、支柱本体２の下端部を地面に立設し易くするため、例えば地面に突き刺すための形状として、大略円錐状に尖らせ、或いは平たく潰して尖らせる等の加工をする。
【００１８】
そこで、両腕３の各先端部をＵ字状に屈曲させて、Ｕ字状屈曲部４（４ａ、４ｂ）を夫々形成する。すると、その各Ｕ字状屈曲部４を柵１の上面部形成部材として使用する上面用網の上縁部を係止する網掛用上フック部として用いることができる。又、支柱本体２の中央部から両腕３と対応させ、その対応する腕３と同一の相対する反対方向に腕３の長さと比べてはるかに短くした網掛用中央フック５（５ａ、５ｂ）を夫々突設する。その際、両網掛用中央フック５を形成するため、例えば径が６ｍｍ、長さが２０ｃｍの直線状の金属棒を用いる。そして、支柱本体２の中央部に金属棒が嵌まる貫通穴を開け、そこに金属棒を挿通して両側の長さを等しくした後、その金属棒を溶接等によって支柱本体２に固着する。その後、支柱本体２から突出する両突出部を夫々小さな逆Ｕ字状に屈曲させて、支柱本体２の相対する両側に逆Ｕ字状屈曲体を夫々形成する。すると、その逆Ｕ字状屈曲体を上面用網７の下縁部を掛ける網掛用中央フック５として用いることができる。
【００１９】
このようにして完成した支柱１を、例えばとうもろこしの食害が最も多い狸から保護するため、多数のとうもろこし６が並んで生育する１畝のとうもろこし列に施し、有害獣侵入防止柵を組み立てて設置する場合、柵の両上面部を形成する上面用網７として金属網、例えば幅が６１ｃｍ、長さが１８２ｃｍの長方形状で、全体に網目が分散されているメタルラスを用いる。そして、とうもろこし列の長さに応じて、必要とする個数の支柱１と上面用網７を夫々用意する。その後、先ず支柱１をとうもろこし列に沿い、所定距離例えば１７０ｃｍずつ離してとうもろこし間に夫々立設するため分配する。次に、各箇所の地面８に支柱本体２を固定するため、その地面８に例えば３０〜５０ｃｍの深さを有する穴を開け、その穴に支柱本体２の下端部を差し込み、又は上方から打ち込んで突き刺す。すると、支柱本体２を鉛直方向に沿わせて固定し、各支柱１を地面８に簡単に立設できる。なお、メタルラスは安価で、強度が大きく、種々の構造、長さ、幅を有するものがある。
【００２０】
その際、地面８に立設する隣接する２本の各支柱１（１ａ、１ｂ）の両側に相対する反対方向に向けて各片側に設けられている２本の腕３と２個の網掛用中央フック５とを対にして、とうもろこし列の面と直角の相対する反対方向に夫々向け、とうもろこし列の両側に配置する。すると、各片側から夫々突出する２本の腕３に設けられている２個の網掛用フック部４と２個の各網掛用中央フック５とを利用し易くなり、２支柱１の両側に対する各上面用網７の係止を夫々簡単に行えるようになる。
【００２１】
そこで、２支柱の各本体上端部からとうもろこし列の面と直角の相対する反対方向に突出する各腕３の先端部に設けた網掛用上フック部４と、２支柱１の各本体中央部から同様に突出する各網掛用中央フック５とに対し、各腕３の弾力性と網の適切な位置にある網目を利用して、両側から上面用網７（７ａ、７ｂ）を夫々係止し掛け渡して取り付ける。その際、各上面用網７を持ち、掛けられる側にある２本の各腕３の網掛用上フック部４を構成するＵ字状屈曲部と、２個の各網掛用中央フック５を構成する逆Ｕ字状屈曲体に対し、上面用網７の４隅付近にある適切な位置の網目中に、それ等の対となる各屈曲部４と各屈曲体５が夫々先端側から嵌まるように接近させて挿通する。すると、いずれも係止により、各上面用網７の４隅付近を弾力性を有する各腕３等で支持して縦横方向に張力を加え、各網面のたるみをなくすことができる。
【００２２】
そして、図１に示すように各とうもろこし６の上部側に付く房状の実９（９ａ、９ｂ）の両側に、上面用網７を配置して、柵１０の両側上面部を夫々形成できる。それ故、有害獣侵入防止柵１０の構造と組み立てが簡単であり、その柵１０をとうもろこし列に設置すると、とうもろこし６の上部側に付く房状の実９を、両側に配置した上面用網７間にできるＶ字状空間内に収容できる。なお、上面用網７として用いたメタルラスをつなぐ場合には、つなぎ目に当たる支柱１を共用し、その網掛用上フック部４と網掛用中央フック５とに隣接するメタルラスの一部を重ね合わせて係止する。
【００２３】
このようにして、とうもろこし列の面と直角の相対する反対方向に夫々突出する各腕３に設けた網掛用上フック部４と各網掛用中央フック５とに、各上面用網７を夫々掛け渡し、いずれも縦横方向の張力を加えて、両面をたるませずに取り付けておくと、その防止柵１０の両側に配置した上面用網７からなる両上面部を、いずれも２支柱１の本体上部と腕３に対し、直角三角形状の位置を占めるように配置して取り付けるため、柵１０の強度を大きくできる。そして、各上面部を形成する上面用網７の網面が上方に行く程、２支柱の本体上部から水平方向に離れてとうもろこし列の面から夫々せり出すので、各上面用網７の取り付け構造によって、柵１０を実際より高く見せて威圧感を与えることができる。
【００２４】
又、たとえ狸がその上面部を登って房状の実９を取ろうとしても、上面部の網面が上方程せり出しているので登れない。又、狸がとうもろこしの茎を倒して実９を取ろうとしても、両側から上面用網７に支えられているため、簡単に倒せない。なお、有害獣侵入防止柵１０を風当たりの強い場所に設置する場合等には、外力により支柱２が回転したり、柵８が変形したりしないようにするため、支柱１間に棒状の補強部材を掛け渡して止め、支柱１を棒状補強部材を用いて地面に固定する等、補強部材を適宜使用するとよい。
【００２５】
図４は本発明を適用した第２実施形態による有害獣侵入防止柵を多数本のとうもろこしが生育しているとうもろこし畑の周囲に設置した状態を示す一部箇所の縦断面図、図５はその有害獣侵入防止柵を設置したとうもろこし畑の一方の外側から見た部分側面図、及び図６はその有害獣侵入防止柵設置用支柱の正面図である。この有害獣侵入防止柵設置用支柱１１は、支柱１と大略同様の構造を備えている。但し、支柱本体１２の上端部からその本体１２の軸線と直角方向に突出する腕１３は１本にする。そして、その腕１３の先端部を網掛用上フック部１４として用いるため、例えばＵ字状屈曲部にする。又、支柱本体１２の中央部から腕１３と同一方向に網掛用中央フック１５を突設する。しかし、網掛用中央フック１５には、逆Ｕ字状に屈曲させた逆Ｕ字状屈曲部１６とＵ字状に屈曲させたＵ字状屈曲部１７とを連続して設けた屈曲体を用いる。
【００２６】
このような支柱１１をとうもろこし畑の周囲に施し、有害獣侵入防止柵１８を組み立てて設置する場合、狸をとうもろこし畑の中に侵入させないようにしなければならない。そこで、柵１８の上面部を形成する上面用網１９と、その下面部を形成する下面用網２０とを用いる。その際、上下面用網１９、２０としてやはりメタルラスを用いるとよい。そして、柵１８を設置するため、先ずとうもろこし畑の周囲の地面２１に所定距離例えば１７０ｃｍずつ離して支柱１１を立設する。すると、地面２１に立設した隣接する２本の支柱１１（１１ａ、１１ｂ）の腕１３に設けられた２個の網掛用フック部１４と２個の網掛用中央フック１５とを対にして、畑の外側に向けて配置できる。それ故、２支柱１１の外側に対し、各上下面用網１９、２０の係止による掛け渡しを夫々簡単に行えるようになる。
【００２７】
そこで、２個の各網掛用中央フック１５を構成する屈曲体のＵ字状屈曲部１７に対し、下面用網２０の上縁部を係止して掛け渡す。そして、下面用網２０の下縁部側を垂らすと、その下縁部を例えば３０〜４０ｃｍ地面に埋設できる。このようにして、とうもろこし畑の周囲に配設されている支柱１１に対し、必要数の下面用網２０を隣接する２枚の下面用網２０を一部重ね合わせるように配置し、各支柱１１を共用しながら順次つなぎ、各下面用網２０の下端部を埋設する。すると、有害獣侵入防止柵１８の下面部を形成できる。次に、とうもろこし畑の周囲に配設されている各支柱１１の腕１３に設けた網掛用上フック部１４を構成するＵ字状屈曲部と、網掛用中央フック１５を構成する屈曲体の逆Ｕ字状屈曲部１６に対し、上面用網１９を係止し掛け渡して順次つなぐ。すると、有害獣侵入防止柵１８の上面部を形成できて柵１８が完成する。
【００２８】
このようして、とうもろこし畑の周囲に有害獣侵入防止柵１８を設置し、その下面部形成網の下端部を地中に所定深さ埋設しておくと、狸が柵１８の下に穴を掘って侵入しようとしても、地面２１の近くの地中にメタルラスを用いた下面用網が埋設されているため、穴を掘って簡単に内部に侵入できず、破ることもできない。それ故、狸による食害を防止できる。又、跳躍力のある鹿が柵１８を飛び越えて侵入しようとしても、柵１８の上面部形成網１９の網面が上方程外側にせり出し、柵１８を実際より高く見せる威圧感構造を備えているため、簡単に飛び越えられない。なお、猪に対しては有害獣侵入防止柵を設置する際に、柵を構成する各支柱と少なくとも各下面用網に一段と強度の大きなものを用いるとよい。
【００２９】
上記第１実施形態による有害獣侵入防止柵１０では、その柵１０の上面部を形成する上面用網７としてメタルラス等の金属網を用いたが、一般に防獣ネットとして市販されているプラスチック製等の非金属製の網を使用することもできる。又、柵１０の支柱本体２の両側中央部に夫々設ける網掛用中央フック５を第２実施形態において採用した逆Ｕ字状屈曲部とＵ字状屈曲部とを有する屈曲体１５にし、柵１０の両側下部に下面用網を夫々係止し、両下面部を形成することもできる。又、第１、第２実施形態による柵１０、１８の上面部と下面部とを、分離した上面用網と下面用網とにより形成せず、市販されている防獣ネットを全面用網として用いて、柵の全面部を形成することもできる。その際には、全面用網の上縁部を網掛用上フック部に係止し、その全面用網の中央部を網掛用中央フックに係止する。すると、全面用網の上面部形成網面をその網面が上方程せり出すように傾斜させて掛け渡し、下面部形成網面をその網面が鉛直方向に沿うように垂らすことができる。
【図面の簡単な説明】
【００３０】
【図１】本発明を適用した第１実施形態による有害獣侵入防止柵を多数本のとうもろこしが生育する１畝のとうもろこし列に設置した状態を示す一部箇所の縦断面図である。
【図２】同有害獣侵入防止柵を設置したとうもろこし列の一方の外側から見た部分側面図である。
【図３】同有害獣侵入防止柵設置用支柱の正面図である。
【図４】本発明を適用した第２実施形態による有害獣侵入防止柵を多数本のとうもろこしが生育するとうもろこし畑の周囲に設置した状態を示す一部箇所の縦断面図である。
【図５】同有害獣侵入防止柵を設置したとうもろこし畑の一方の外側から見た部分側面図である。
【図６】同有害獣侵入防止柵設置用支柱の正面図である。
【符号の説明】
【００３１】
１、１１…支柱  ２、１２…支柱本体  ３、１３…腕  ４、１４…網掛用上フック部（Ｕ字状屈曲部）  ５、１５…網掛用中央フック（屈曲体）  ６…とうもろこし  ７、１９…上面用網  ８、２１…地面  ９…とうもろこしの房状実  １０、１８…有害獣侵入防止柵  １６…逆Ｕ字状屈曲部  １７…Ｕ字状屈曲部  ２０…下面用網
【図１】
2008301785.tif 000003
【図２】
2008301785.tif 000004
【図３】
2008301785.tif 000005
【図４】
2008301785.tif 000006
【図５】
2008301785.tif 000007
【図６】
2008301785.tif 000008